(57)【要約】【課題】少ないジョイント具で封緘でき、開梱や解体も容易な梱包箱を提供する。【解決手段】前面板１、側面板２及び後面板３を連設して周壁１５を形成すると共に、後面板３の下端から延びる底面板５の先端に前起片６を、両側に側起片７をそれぞれ連設してトレー部１６を形成し、周壁１５の上端に天フラップ８，９を設け、側面板２の下部に側起片７を、前面板１の下部に前起片６をそれぞれ重ね、前面板１と前起片６とをジョイント具１４で固定して封緘する。また、前面板１に縦方向の切裂帯１１を設け、切裂帯１１を引っ張って前面板１を切断すると、前面板１を側面板２との稜線を軸として観音開き状に開放できるようにする。【選択図】図２
2007326619.tif 000002
【特許請求の範囲】
【請求項１】
前面板(1)、側面板(2)及び後面板(3)を連設して周壁(15)を形成すると共に、後面板(3)の下端から延びる底面板(5)の先端に前起片(6)を、両側に側起片(7)をそれぞれ連設してトレー部(16)を形成し、周壁(15)の上端に天フラップ(8,9)を設け、側面板(2)の下部に側起片(7)を、前面板(1)の下部に前起片(6)をそれぞれ重ね、前面板(1)と前起片(6)とをジョイント具(14)で固定して封緘する梱包箱。
【請求項２】
前面板(1)に縦方向の切裂帯(11)を設け、切裂帯(11)を引っ張って前面板(1)を切断すると、前面板(1)を側面板(2)との稜線を軸として観音開き状に開放できるようにした請求項１に記載の梱包箱。
【発明の詳細な説明】
【技術分野】
【０００１】
この発明は、テレビ等の大型重量物の梱包に適した梱包箱に関するものである。
【背景技術】
【０００２】
従来、下記特許文献１には、図５に示すような梱包箱が記載されている。この梱包箱では、前面板５１に側面板５２、後面板５３及び側面板５２を順次連設して周壁を形成し、側面板５２及び後面板５３の下端から延びる底フラップ５４，５５を内側へ折り曲げて、底フラップ５４に補助固定材５６をステープル等で固定する。
【０００３】
そして、物品を箱内に収納した後、前面板５１と一方の側面板５２の隣接部をジョイント具で固定すると共に、補助固定材５６の前起片５７と前面板５１の下部とをジョイント具で固定し、側面板５２の上端に連設した天フラップ５８と、前面板５１及び後面板５３の上端に連設した天フラップ５９とを重ね合わせて、封止用の紐で固定する。
【０００４】
【特許文献１】実開昭５１−１４８３６２号公報
【発明の開示】
【発明が解決しようとする課題】
【０００５】
しかしながら、上記のような梱包箱では、封緘にステープルやジョイント具等の固定具を多数必要とするため、梱包に手間やコストがかかるだけでなく、開梱や解体にも手間がかかるという問題がある。
【０００６】
そこで、この発明は、少ない固定具で封緘でき、開梱や解体も容易な梱包箱を提供することを課題とする。
【課題を解決するための手段】
【０００７】
上記課題を解決するため、この発明に係る梱包箱は、前面板、側面板及び後面板を連設して周壁を形成すると共に、後面板の下端から延びる底面板の先端に前起片を、両側に側起片をそれぞれ連設してトレー部を形成し、周壁の上端に天フラップを設け、側面板の下部に側起片を、前面板の下部に前起片をそれぞれ重ね、前面板と前起片とをジョイント具で固定して封緘することとしたのである。
【０００８】
また、前面板に縦方向の切裂帯を設け、切裂帯を引っ張って前面板を切断すると、前面板を側面板との稜線を軸として観音開き状に開放できるようにしたのである。
【発明の効果】
【０００９】
この発明に係る梱包箱では、後面板から延びる底面板に前起片及び側起片を連設して、商品を受け止めるトレー部を一体的に形成し、前面板と前起片とをジョイント具で固定して、封緘することとしたので、ステープル等による固定をすることなく、少ないジョイント具で封緘でき、梱包コストを削減できる。また、開梱や内容物の取り出しを容易に行うことができ、廃棄に伴う解体も容易に行うことができる。
【発明を実施するための最良の形態】
【００１０】
以下、この発明の実施形態を添付図面に基づいて説明する。
【００１１】
この梱包箱は、液晶やプラズマ等の薄型大画面のテレビの梱包に使用する段ボール製のものであり、そのブランクでは、図１に示すように、前面板１の一側に側面板２、後面板３及び側面板２が順次連設され、前面板１の他側に継代片４が連設されている。
【００１２】
後面板３の下端には底面板５が連設され、底面板５の先端には前起片６が、両側には側起片７がそれぞれ連設されている。側面板２の上端には天フラップ８が、前面板１及び後面板３の上端には天フラップ９がそれぞれ連設されている。
【００１３】
前面板１の下部には２個のジョイント穴１０が設けられ、前起片６にも２個のジョイント穴１０が設けられている。前面板１及び天フラップ９の中央部には、切裂帯１１として縦方向にカットテープが貼着され、その切始部１２の切込が前面板１の上部に設けられている。側面板２の中間部には、２個の把手穴１３が設けられている。
【００１４】
上記のようなブランクを組み立てて、商品であるテレビを梱包するには、図２に示すように、前面板１、一対の側面板２、後面板３を四角筒に折り曲げ、継代片４を反対側の側面板２に貼り付けて周壁１５を形成する。
【００１５】
また、底面板５から前起片６及び側起片７を起立させてトレー部１６を形成し、側面板２の下部内側に側起片７を、前面板１の下部外側に前起片６をそれぞれ重ね、一致したジョイント穴１０にジョイント具１４を差し込んで、前面板１と前起片６とを固定する。
【００１６】
そして、天面を開口させた状態で、テレビを箱内に収納し、天フラップ８，９を重ね合わせ、粘着テープやバンド掛けにより固定する。
【００１７】
このように、上記梱包箱では、後面板３から延びる底面板５に前起片６及び側起片７を連設して、商品を受け止めるトレー部１６を一体的に形成し、前面板１と前起片６とをジョイント具１４で固定して、封緘することとしているため、ジョイント具１４を２個使用するだけで封緘できる。
【００１８】
一方、上記のように封緘した梱包箱を開梱するには、ジョイント具１４を取り外し、天フラップ８，９の固定を解放した後、図３に示すように、切始部１２から切裂帯１１を引っ張って、前面板１及びこれに繋がる天フラップ９を切断し、前起片６を手前に倒す。
【００１９】
これにより、図４に示すように、前面板１を、側面板２との稜線を軸として観音開き状に開放することができ、開梱作業を容易に行うことができる。
【００２０】
また、重量のある大画面のテレビを、ほとんど持ち上げることなく、手前に引き出すようにして、容易に取り出すことができる。
【００２１】
そして、廃棄に際しては、簡単に扁平に潰して折り畳むことができ、解体作業に手間がかかることがない。
【００２２】
なお、上記実施形態では、切裂帯１１として、前面板１及び天フラップ９の裏面にカットテープを貼着したが、切裂帯１１は、段ボールを厚さ方向に半分程度切り込んだ半切線や、短い切目が断続するミシン目によるものとしてもよい。
【００２３】
また、前面板１の中央部でなく、前面板１の両側に側面板２との稜線に沿って縦方向の切裂帯を設け、これらの切裂帯により前面板１を切断し、ジョイント具１４を取り外すことなく、前面板１を前起片６と共に手前に倒して、開梱するようにしてもよい。
【００２４】
そのほか、周壁１５は、一般的な四角筒としたが、角部を面取りした八角筒等の多角筒として、取扱性や積上強度の向上を図ってもよい。
【図面の簡単な説明】
【００２５】
【図１】この発明の実施形態に係る梱包箱のブランクを示す図
【図２】同上の梱包状態を示す斜視図
【図３】同上の開梱過程を示す斜視図
【図４】同上の開梱状態を示す斜視図
【図５】従来の梱包箱の開梱状態を示す斜視図
【符号の説明】
【００２６】
１  前面板
２  側面板
３  後面板
４  継代片
５  底面板
６  前起片
７  側起片
８，９  天フラップ
１０  ジョイント穴
１１  切裂帯
１２  切始部
１３  把手穴
１４  ジョイント具
１５  周壁
１６  トレー部
【図１】
2007326619.tif 000003
【図２】
2007326619.tif 000004
【図３】
2007326619.tif 000005
【図４】
2007326619.tif 000006
【図５】
2007326619.tif 000007